(57)【要約】【課題】組み立てが簡単な防水ケースを提供する。【解決手段】本発明の一形態に係る防水ケース１は、コネクタ９１と１１１との接続部を囲むように突き合わされる、第１のケース部材２及び第２のケース部材３と、突き合わされた第１のケース部材２と第２のケース部材３とによって形成される共通のネジ部に捻じ込まれるナット４と、を備える。このとき、第１のケース部材２と第２のケース部材３とは、開閉可能にヒンジ１０によって連結されていることが好ましい。【選択図】図１
2013168282.tif 000002
【特許請求の範囲】
【請求項１】
コネクタの接続部を囲むように突き合わされる、第１及び第２のケース部材と、
突き合わされた前記第１及び前記第２のケース部材によって形成される共通のネジ部に捻じ込まれるナットと、
を備える防水ケース。
【請求項２】
前記第１のケース部材と前記第２のケース部材とは、開閉可能にヒンジによって連結されている請求項１に記載の防水ケース。
【請求項３】
前記第１及び前記第２のケース部材と前記ヒンジとは、一体成形品である請求項２に記載の防水ケース。
【請求項４】
前記防水ケースは、外線ケーブルに設けられたコネクタと筐体に設けられたコネクタとの接続部を覆うように、前記筐体に載置され、
前記筐体の熱を、前記防水ケースを介して放熱する請求項１乃至３のいずれか１項に記載の防水ケース。
【請求項５】
放熱フィンを更に備えている請求項４に記載の防水ケース。
【請求項６】
前記第１及び前記第２のケース部材は、他方側のケース部材との突き合わせ面及び下面に配置される、第１のパッキンを備えている請求項１乃至５のいずれか１項に記載の防水ケース。
【請求項７】
前記第１及び前記第２のケース部材には、他方のケース部材と突き合わせた状態でケーブルが通される開口部が形成されており、
前記第１及び前記第２のケース部材は、前記開口部近傍に配置される、第２のパッキンを備えている請求項１乃至６のいずれか１項に記載の防水ケース。
【請求項８】
第１のケース部材と第２のケース部材とでコネクタの接続部を覆うように、前記第１のケース部材と前記第２のケース部材とを突き合わせる工程と、
突き合わせた前記第１及び前記第２のケース部材によって形成される共通のネジ部にナットを捻じ込む工程と、
を備える防水ケースの組立方法。
【発明の詳細な説明】
【技術分野】
【０００１】
本発明は防水ケース及び防水ケースの組立方法に関し、特にコネクタの接続部を覆う防水ケース及び防水ケースの組立方法に関する。
【背景技術】
【０００２】
一般的な防水ケースは、例えば特許文献１及び２に開示された構成とされている。特許文献１及び２の防水ケースは、第１のケース部材と第２のケース部材とでコネクタの接続部を覆うように、第１のケース部材と第２のケース部材とをパッキンを介して突き合わせ、複数個のボルトで相互を接合して組み立てられる。
【先行技術文献】
【特許文献】
【０００３】
【特許文献１】特開２００５−３５３４４８号公報
【特許文献２】特開２０１１−１０８８０４号公報
【発明の概要】
【発明が解決しようとする課題】
【０００４】
特許文献１及び２の防水ケースは、複数個のボルトで第１のケース部材と第２のケース部材とを接合する必要があり、組み立てが煩雑である。
【０００５】
本発明の目的は、上述した課題を解決するためになされたものであり、組み立てが簡単な防水ケース及び防水ケースの組立方法を提供することにある。
【課題を解決するための手段】
【０００６】
本発明の一形態に係る防水ケースは、コネクタの接続部を囲むように突き合わされる、第１及び第２のケース部材と、突き合わされた前記第１及び前記第２のケース部材によって形成される共通のネジ部に捻じ込まれるナットと、を備える。
本発明の一形態に係る防水ケースの組立方法は、第１のケース部材と第２のケース部材とでコネクタの接続部を覆うように、前記第１のケース部材と前記第２のケース部材とを突き合わせる工程と、突き合わせた前記第１及び前記第２のケース部材によって形成される共通のネジ部にナットを捻じ込む工程と、を備える。
【発明の効果】
【０００７】
以上、説明したように、本発明によると、組み立てが簡単な防水ケース及び防水ケースの組立方法を提供することができる。
【図面の簡単な説明】
【０００８】
【図１】本発明の実施の形態１に係る防水ケースの構造を概略的に示す図である。
【図２】本発明の実施の形態１に係る防水ケースでコネクタ相互の接続部を覆う前の状態を概略的に示す図である。
【図３】本発明の実施の形態１に係る防水ケースでコネクタ相互の接続部を覆った後の状態を概略的に示す図である。
【図４】本発明の実施の形態１に係る防水ケースを示す縦断面図である。
【図５】本発明の実施の形態１に係る防水ケースの組立方法の工程図である。
【図６】本発明の実施の形態１に係る防水ケースの組立方法の工程図である。
【図７】本発明の実施の形態１に係る防水ケースの組立方法の工程図である。
【図８】本発明の実施の形態１に係る防水ケースの組立方法の工程図である。
【図９】本発明の実施の形態１に係る防水ケースの組立方法の工程図である。
【図１０】本発明の実施の形態１に係る防水ケースの組立方法の工程図である。
【発明を実施するための形態】
【０００９】
本発明の実施の形態に係る防水ケース及び防水ケースの組立方法について説明する。但し、本発明が以下の実施の形態に限定される訳ではない。また、説明を明確にするため、以下の記載及び図面は、適宜、簡略化されている。
【００１０】
＜実施の形態１＞
本実施の形態の防水ケース１は、例えば屋外通信基地局装置に設けられたコネクタと外線ケーブルに設けられたコネクタとの接続部の防水を実現するために好適に用いられる。防水ケース１は、図１に示すように、第１のケース部材２、第２のケース部材３、ナット４、第１のパッキン５、第２のパッキン６、第３のパッキン７、第４のパッキン８を備えている。
【００１１】
第１のケース部材２は、釣鐘形状を鉛直方向に半分に割った形状とされている。つまり、第１のケース部材２は、略円錐形状の一方の半割部分であって、中空構造とされている。
【００１２】
第１のケース部材２の上部は、若干絞られた形状とされており、上端部に開口部２１が形成されている。開口部２１には、図２に示すように外線ケーブル９が通される。第１のケース部材２の下端部は、開放されている。そして、第１のケース部材２の外側面には、ネジ部２２（図１のハッチング部分）が形成されている。
【００１３】
第２のケース部材３も、釣鐘形状を鉛直方向に半分に割った形状とされている。つまり、第２のケース部材３は、略円錐形状の他方の半割部分であって、中空構造とされており、第１のケース部材２とで１つの釣鐘形状を形成する。
【００１４】
第２のケース部材３の上部は、若干絞られた形状とされており、上端部に開口部３１が形成されている。開口部３１には、図３に示すように外線ケーブル９が通される。第２のケース部材３の下端部は、開放されている。そして、第２のケース部材３の外側面には、突き合わされた第１のケース部材２のネジ部２２と連続するようにネジ部３２（図１のハッチング部分）が形成されている。つまり、第１のケース部材２のネジ部２２と第２のケース部材３のネジ部３２とで共通（１つ）のネジ部が形成される。
【００１５】
ナット４は、図３に示すように、突き合わされた第１のケース部材２のネジ部２２と第２のケース部材３のネジ部３２とに捻じ込まれる。ナット４は、リング状に形成されており、内周部にネジ部（図示を省略）が形成されている。ナット４のネジ部と、第１のケース部材２のネジ部２２及び第２のケース部材３のネジ部３２と、が螺合される。
【００１６】
第１のパッキン５は、第１のケース部材２と第２のケース部材３との突き合わせ部分及び下端部からの水の浸入を防止する。詳細には、第１のパッキン５は、例えばゴム等の合成樹脂から成る。第１のパッキン５は、第１のケース部材２における第２のケース部材３と突き合わされる面２３及び下面２４に沿った形状に形成されている。
【００１７】
つまり、第１のパッキン５は、第１のケース部材２における第２のケース部材３と突き合わされる面２３に沿って配置される鉛直部分５１、５２と、第１のケース部材２の下面に沿って配置される水平部分５３と、を備え、鉛直部分５１と５２とが水平部分５３で連結されている。
【００１８】
この第１のパッキン５は、例えば第１のパッキン５を位置決めするために、第１のケース部材２における第２のケース部材３と突き合わされる面２３及び下面２４に形成された溝部（図示を省略）に嵌め込まれる。このとき、第１のパッキン５の一部は当該溝部から突出する。
【００１９】
第２のパッキン６も、第１のケース部材２と第２のケース部材３との突き合わせ部分及び下端部からの水の浸入を防止する。詳細には、第２のパッキン６は、例えばゴム等の合成樹脂から成る。第２のパッキン６は、第２のケース部材３における第１のケース部材２と突き合わされる面３３及び下面３４に沿った形状に形成されている。
【００２０】
つまり、第２のパッキン６は、第２のケース部材３における第１のケース部材２と突き合わされる面３３に沿って配置される鉛直部分６１、６２と、第２のケース部材３の下面３４に沿って配置される水平部分６３と、を備え、鉛直部分６１と６２とが水平部分６３で連結されている。
【００２１】
この第２のパッキン６は、例えば第２のパッキン６を位置決めするために、第２のケース部材３における第１のケース部材２と突き合わされる面３３及び下面３４に形成された溝部（図示を省略）に嵌め込まれる。このとき、第２のパッキン５の一部は当該溝部から突出する。
【００２２】
ちなみに、本実施の形態の第１のケース部材２と第２のケース部材３とはヒンジ１０によって開閉可能な構成とされている。ここで、第１のケース部材２、第２のケース部材３及びヒンジ１０は、合成樹脂等で一体成形することができる。特に、第１のケース部材２、第２ケース部材３及びヒンジ１０は、耐候性に優れ、金型による量産が可能なＡＥＳ樹脂やＡＢＳ樹脂で成形されることが好ましい。これにより、防水カバーを簡単に製造することができる。
【００２３】
第３のパッキン７は、第１のケース部材２の開口部２１から内部への水の浸入を防ぐ。詳細には、第３のパッキン７は、ゴム等の合成樹脂から成る。第３のパッキン７は、図１、図２及び図４に示すように、第１のケース部材２の上部に形成された絞り部分２５に嵌め込まれる。
【００２４】
つまり、第３のパッキン７は、略円錐形状の一方の半割部分である。第３のパッキン７が当該絞り部分２５に嵌め込まれると、図２及び図４に示すように、第３のパッキン７の外側面と絞り部分２５の内側面とは密着する。但し、第３のパッキン７の形状は、第１のケース部材２の絞り部分２５の形状に倣って適宜設計される。
【００２５】
第３のパッキン７には、断面が略半円形状の溝部７１が形成されている。当該溝部７１には、外線ケーブル９が通される。但し、溝部７１の形状は外線ケーブル９の形状に倣って適宜設計される。
【００２６】
第４のパッキン８は、第２のケース部材３の開口部３１から内部への水の浸入を防ぐ。詳細には、第４のパッキン８は、ゴム等の合成樹脂から成る。第４のパッキン８は、図１、図２及び図４に示すように、第２のケース部材３の上部に形成された絞り部分３５に嵌め込まれる。
【００２７】
つまり、第４のパッキン８は、略円錐形状の他方の半割部分であり、第３のパッキン７とで１つの略円錐形状を形成する。第４のパッキン８が当該絞り部分３５に嵌め込まれると、図２及び図４に示すように、第４のパッキン８の外側面と絞り部分３５の内側面とは密着する。但し、第４のパッキン８の形状は、第２のケース部材３の絞り部分３５の形状に倣って適宜設計される。
【００２８】
第４のパッキン８には、断面が略半円形状の溝部８１が形成されている。当該溝部８１には、外線ケーブル９が通される。但し、溝部８１の形状は外線ケーブル９の形状に倣って適宜設計される。
【００２９】
このような構成の防水ケース１は、以下のように組み立てられ、屋外通信基地局装置に設けられたコネクタと外線ケーブルに設けられたコネクタとの接続部の防水を実現する。
【００３０】
先ず、図５に示すように、屋外通信基地局装置１１に設けられたコネクタ１１１と、外線ケーブル９に設けられたコネクタ９１と、を接続する前に、外線ケーブル９にナット４を通す。
【００３１】
次に、図６に示すように、屋外通信基地局装置１１のコネクタ１１１に外線ケーブル９のコネクタ９１を接続する。一方、第１のケース部材２と第２のケース部材３とをヒンジ１０を介して開いた状態にする。そして、第１のケース部材２における第２のケース部材３と突き合わされる面２３及び下面２４に形成された溝部に第１のパッキン５を嵌め込み、第１のケース部材２の絞り部分２５に第３のパッキン７を嵌め込む。同様に、第２のケース部材３における第１のケース部材２と突き合わされる面３３及び下面３４に形成された溝部に第２のパッキン６を嵌め込み、第２のケース部材２の絞り部分３５に第４のパッキン８を嵌め込む。
【００３２】
次に、図７に示すように、例えば第１のケース部材２における第３のパッキン７の溝部７１に外線ケーブル９を嵌め込む。
【００３３】
次に、図８に示すように、第２のケース部材３における第４のパッキン８の溝部８１に外線ケーブル９を嵌め込むように、第１のケース部材２と第２のケース部材３とを閉じ、第１のケース部材２のネジ部２２と第２のケース部材３のネジ部３２とにナット４を捻じ込み、第１のケース部材２と第２のケース部材３とを閉じた状態で固定する。このとき、第１のケース部材２の第１のパッキン５及び第２のケース部材３の第２のパッキン６は押し潰され、第１のケース部材２と第２のケース部材３との突き合わせ部分からの水の浸入を略防ぐことができる構成となる。また、第１のケース部材２の第３のパッキン７と第３のケース部材３の第４のパッキン８とで、外線ケーブル９を挟み込んで支持すると共に、第３のパッキン７の溝部７１の内側面と外線ケーブル９の外周面との隙間、及び第４のパッキン８の溝部８１の内側面と外線ケーブル９の外周面との隙間が略塞がれ、外部からの水の浸入を略防ぐことができる構成となる。
【００３４】
最後に、第１のケース部材２の下面及び第２のケース部材３の下面を屋外通信基地局装置１１の上面に載置すると、防水カバー１の組み立てが完了する。このとき、第１のケース部材２における第１のパッキン５の水平部分５３及び第２のケース部材３における第２のパッキン６の水平部分６３が屋外通信基地局装置１１の上面に、防水ケース１の自重で押し付けられるので、第１のケース部材２の下面及び第２のケース部材３の下面と、屋外通信基地局装置１１の上面と、の間から水の浸入を略防ぐことができる。
【００３５】
このような構成の防水ケース１は、コネクタ相互の接続部を覆うように第１のケース部材２と第２のケース部材３とを閉じ、ナット４を締め付けるだけで、コネクタ相互の接続部の防水構造を実現することができ、簡単に防水構造を実現できる。しかも狭い箇所でも防水ケース１を組み立てることができる。
【００３６】
また、主要部材が第１のケース部材２、第２のケース部材３及びナット４であるので、構造が簡単で、簡単に製造することができ、コストの削減に寄与することができる。特に、第１のケース部材２及び第３のケース部材３は、ヒンジ１０を介して一体成形することができるので、より簡単に製造することができる。
【００３７】
さらに防水ケース１は水の浸入を略防ぐことができるので、一般的に用いられる、高価な屋外用のコネクタを用いる必要が無く、安価な屋内用のコネクタを用いることができるので、低コストで防水構造を実現することができる。
【００３８】
＜実施の形態２＞
実施の形態１の防水ケース１における、第１のケース部材２、第２のケース部材３及びヒンジ１０は、合成樹脂等で一体成形したが、この限りでない。
【００３９】
つまり、本実施の形態の防水ケースは、アルミダイカスト等によって成形しても良い。要するに、防水ケースを熱伝導率の高い材質で成形することで、屋外通信基地局装置が発する熱を防水ケースに伝達する。これにより、屋外通信基地局装置だけでなく防水ケースからも放熱することができ、防水ケースを屋外通信基地局の冷却装置として機能させることができる。そのため、屋外通信基地局装置の表面温度を下げることで、屋外通信基地局装置の内部モジュールの温度を下げることができる。
【００４０】
ここで、防水ケースの外側面に放熱フィンを設けると、さらに冷却機能を向上させることができる。例えば、放熱フィンは、防水ケースの外側面に熱伝導率の高い板状の部材が放射状に設けられる。
【００４１】
なお、本実施の形態では、防水ケースをアルミダイカストによって成形したが、防水ケースを屋外通信基地局の冷却装置として機能させることができれば、材質や成形方法は特に限定されない。
【００４２】
なお、本発明は上記実施の形態に限られたものではなく、趣旨を逸脱しない範囲で適宜変更することが可能である。
【符号の説明】
【００４３】
１  防水ケース
２  第１のケース部材、２１  開口部、２２  ネジ部、２３  突き合わせ面、２４  下面、２５  絞り部分
３  第２のケース部材、３１  開口部、３２  ネジ部、３３  突き合わせ面、３４  下面、３５  絞り部分
４  ナット
５  第１のパッキン、５１、５２  鉛直部分、５３  水平部分
６  第２のパッキン、６１、６２  鉛直部分、６３  水平部分
７  第３のパッキン、７１  溝部
８  第４のパッキン、８１  溝部
９  外線ケーブル、９１  コネクタ
１０  ヒンジ
１１  屋外通信基地局装置、１１１  コネクタ
【図１】
2013168282.tif 000003
【図２】
2013168282.tif 000004
【図３】
2013168282.tif 000005
【図４】
2013168282.tif 000006
【図５】
2013168282.tif 000007
【図６】
2013168282.tif 000008
【図７】
2013168282.tif 000009
【図８】
2013168282.tif 000010
【図９】
2013168282.tif 000011
【図１０】
2013168282.tif 000012